(57)【要約】【課題】利便性の向上を図るとともに、不正解錠に対する防御性能の向上を図ることのできる遊技機を提供する。【解決手段】パチンコ機１０は、外枠１１と、これに開閉可能に支持された内枠１２と、外枠１１に対し内枠１２を施錠する施錠装置とを備えている。施錠装置は、外枠１１の被係合部に係合可能な複数の内鉤部材と、これらを連動させる摺動杆と、当該摺動杆を介して内鉤部材を解錠位置側へ付勢するコイルばねと、その付勢力に抗して摺動杆を施錠位置側へ変位させた状態で維持し、内鉤部材の解錠位置側への変位を規制するロック部材と、ロック部材を操作可能なシリンダ錠７００と、ロック部材を覆うカバー部材とを備えている。内枠１２の閉時にシリンダ錠７００を操作し、ロック部材による規制が解除されると、コイルばねの付勢力により摺動杆が引っ張られ、内鉤部材が被係合部から離脱しつつ、当該内鉤部材により内枠１２が前方へ押されて開放する。【選択図】      図１
2010057535.tif 000002
【特許請求の範囲】
【請求項１】
支持体の前面側にて当該支持体に対し開閉可能に支持された扉体と、
前記支持体に対し前記扉体を施錠する施錠装置とを備えた遊技機であって、
前記施錠装置は、
前記支持体又は前記扉体の一方に取付けられるとともに、
前記支持体又は前記扉体の他方に設けられた被係合部に係合可能な施錠位置と、前記被係合部から離脱可能な解錠位置とに変位可能な複数の係合部材と、
前記複数の係合部材を連動させて、前記係合部材を前記施錠位置とする第１切換位置と、前記係合部材を前記解錠位置とする第２切換位置とに変位可能な連結部材と、
前記連結部材を前記第２切換位置側へ付勢することにより、当該連結部材を介して前記係合部材を前記解錠位置側へ付勢する付勢部材と、
前記付勢部材による付勢力に抗して、前記連結部材を前記第１切換位置側へ変位させた状態で維持することにより、当該連結部材の前記第２切換位置側への変位及び前記係合部材の前記解錠位置側への変位を規制する規制部材と、
鍵による特定の操作により前記規制部材を操作可能な錠部材と、
前記規制部材を覆うカバー部材とを備え、
前記係合部材は、
前記被係合部に係合される係合部と、これとは別に前記被係合部に接触可能な作用部とを備え、
前記係合部が前記被係合部に係合された状態で、前記連結部材を介して前記規制部材により前記係合部材の前記解錠位置側への変位が規制されることにより、前記扉体の開放が規制された施錠状態となり、
前記施錠状態において、前記錠部材に対して前記特定の操作があった場合には、前記規制部材による規制が解除され、前記付勢部材による付勢力により、前記連結部材が前記第２切換位置側へ変位して前記係合部材が前記解錠位置側へ変位し、
当該係合部材の変位動作により、前記係合部が前記被係合部から離脱しつつ、前記作用部が前記被係合部に作用して前記扉体が前方へ押され、解錠状態となることを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が支持体（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、支持体に設けられた複数の被係合部材に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係合部材に係合することで遊技機本体が支持体に対し開放不能となる。他方、専用の鍵でシリンダ錠を解錠操作することにより摺動杆を介して各鉤部材が被係合部材から同時に離脱し、遊技機本体が開放可能となる（例えば特許文献１参照）。
【０００３】
また、施錠装置は、一般的に遊技機本体を開状態から閉状態とする施錠時には、専用の鍵を用いなくとも施錠が行えるように構成されている。例えば、鉤部材の先端が略三角形状に先細りしており、遊技機本体を閉じていくと、先ず鉤部材の傾斜部位が被係合部材に接するようになっている。従って、さらに遊技機本体を閉じていくことで、コイルばね等の付勢部材の付勢力に抗して鉤部材が解錠方向へ変位する。そして、鉤部材が被係合部材を乗り越えると、鉤部材は付勢部材の付勢力により元の位置に戻り、被係合部材に係合される。これにより遊技機本体の施錠が完了する。
【特許文献１】特開２００１−１２０８１７号公報
【発明の開示】
【発明が解決しようとする課題】
【０００４】
従来技術では、一般的に鍵による解錠操作を継続している場合（例えばシリンダ錠を所定方向に回動操作している場合）のみ、鉤部材を解錠側に維持することができる。つまり、鍵から手を離した場合には鉤部材が施錠側に戻ってしまう。従って、遊技機本体を開放する作業を行う際には、作用者は、一方の手で、鍵によりシリンダ錠等を解錠操作しつつ、他方の手で、遊技機本体を前方へ引っ張るといった作業が必要となる。
【０００５】
しかしながら、近年では、遊技機本体に取付けられる制御機器などの各種機器の数が増加傾向にあるため、遊技機本体が重量化傾向にある。このため、遊技機本体の開放作業が、遊技機本体を手で支えながら前方へ引っ張る等、非常に手間のかかる作業となるおそれがある。
【０００６】
さらに、近年、遊技店では、遊技機本体を不正に解錠し、本体裏側に設けられた制御機器を不正に操作したり交換する等して、多くの遊技媒体を獲得する不正行為が行われることもある。このような不正解錠は、通常、遊技機本体と支持体との隙間から針金等の線材を差込み、当該線材を施錠装置の鉤部材に引っ掛けて解錠方向に動かすことにより行われる。
【０００７】
このような不正解錠操作を防止するため、近年では、特開２００１−１２０８１７号公報に記載された発明のように、例えば被係合部材に係合した鉤部材を囲む防護カバーを備えた遊技機もある。
【０００８】
ところが、このような構成では、各鉤部材に対応して防護カバーを設けなければならず、部品点数が増加するおそれがある。
【０００９】
尚、かかる課題は、パチンコ機に限らず、スロットマシンなど、扉体と支持体とを施錠する施錠機構を備えた他の遊技機にも該当する問題である。
【００１０】
本発明は、上記例示した問題点などを解決するためになされたものであり、その目的は、利便性の向上を図るとともに、不正解錠に対する防御性能の向上を図ることのできる遊技機を提供することにある。
【課題を解決するための手段】
【００１１】
上記の目的を達成するため、本発明に係る遊技機は、
支持体の前面側にて当該支持体に対し開閉可能に支持された扉体と、
前記支持体に対し前記扉体を施錠する施錠装置とを備えた遊技機であって、
前記施錠装置は、
前記支持体又は前記扉体の一方に取付けられるとともに、
前記支持体又は前記扉体の他方に設けられた被係合部に係合可能な施錠位置と、前記被係合部から離脱可能な解錠位置とに変位可能な複数の係合部材と、
前記複数の係合部材を連動させて、前記係合部材を前記施錠位置とする第１切換位置と、前記係合部材を前記解錠位置とする第２切換位置とに変位可能な連結部材と、
前記連結部材を前記第２切換位置側へ付勢することにより、当該連結部材を介して前記係合部材を前記解錠位置側へ付勢する付勢部材と、
前記付勢部材による付勢力に抗して、前記連結部材を前記第１切換位置側へ変位させた状態で維持することにより、当該連結部材の前記第２切換位置側への変位及び前記係合部材の前記解錠位置側への変位を規制する規制部材と、
鍵による特定の操作により前記規制部材を操作可能な錠部材と、
前記規制部材を覆うカバー部材とを備え、
前記係合部材は、
前記被係合部に係合される係合部と、これとは別に前記被係合部に接触可能な作用部とを備え、
前記係合部が前記被係合部に係合された状態で、前記連結部材を介して前記規制部材により前記係合部材の前記解錠位置側への変位が規制されることにより、前記扉体の開放が規制された施錠状態となり、
前記施錠状態において、前記錠部材に対して前記特定の操作があった場合には、前記規制部材による規制が解除され、前記付勢部材による付勢力により、前記連結部材が前記第２切換位置側へ変位して前記係合部材が前記解錠位置側へ変位し、
当該係合部材の変位動作により、前記係合部が前記被係合部から離脱しつつ、前記作用部が前記被係合部に作用して前記扉体が前方へ押され、解錠状態となることをその要旨としている。
【発明の効果】
【００１２】
本発明の遊技機によれば、利便性の向上を図るとともに、不正解錠に対する防御性能の向上を図るといった優れた効果を奏する。
【発明を実施するための最良の形態】
【００１３】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１４】
図１乃至図４に示すように、パチンコ機１０は、当該パチンコ機１０の外郭を構成する支持体としての外枠１１を備えており、この外枠１１の一側部に扉体としての内枠１２が開閉可能に支持されている。
【００１５】
ここで、外枠１１について図５を参照しつつ説明する。図５は外枠１１の全体を示す斜視図である。本実施形態における外枠１１は、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１６】
左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。従って、左辺枠構成部１１ｃ及び右辺枠構成部１１ｄは、それぞれ長手方向に略一様な断面形状となっている。
【００１７】
また、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。
【００１８】
また、右辺枠構成部１１ｄの内側には、後述する施錠装置６００の内鉤部材６２３，６２４に対応して、上下一対の受け金具８３，８４が取付けられている。そして、内枠１２の閉時においては、各受け金具８３，８４に対して内鉤部材６２３，６２４が係合されることにより、内枠１２の開放が規制される（図２４参照）。
【００１９】
なお、本実施形態では、上記ヒンジ８１，８２や受け金具８３，８４として、アルミニウム合金製の外枠１１本体よりも剛性の高いステンレス合金等の鋼鉄製のものが採用されている。
【００２０】
さらに、外枠１１の下辺枠構成部１１ｂには、樹脂製の幕板飾り８５が取着されている。幕板飾り８５の上面奥部には、上方に突出するリブ８８が一体形成されている。また、外枠１１の右辺枠構成部１１ｄの内側面前側には複数のリブ８９が形成されている。これらリブ８８，８９により、外枠１１と内枠１２の隙間からの線材等の進入を防止している。加えて、右辺枠構成部１１ｄには、その後端部から外枠１１内側へ向け突出した延出壁部８７が形成されている。これにより、外枠１１裏側から受け金具８３，８４への線材等の進入を防止している。
【００２１】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２２】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２３】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２４】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２５】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２６】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２７】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２８】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した周縁電飾部１０２が設けられ、該周縁電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００２９】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３０】
また、前面枠セット１４の右側部背面側には、後述する施錠装置６００に対応して補強金具９０が設けられており、当該補強金具９０には施錠装置６００の前鉤部６１６，６１７，６１８に対応して、３つの受け金具９１，９２，９３が上下方向に沿って取付けられている（図４参照）。そして、前面枠セット１４の閉時においては、前鉤部６１６，６１７，６１８が受け金具９１，９２，９３に係合することにより、前面枠セット１４の開放が規制される（図２４参照）。
【００３１】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３２】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００３３】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３４】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３５】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３６】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３７】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３８】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３９】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４０】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００４１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４２】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００４３】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００４４】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４５】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００４６】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００４７】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００４８】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００４９】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００５０】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００５１】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００５２】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００５３】
次に、裏パックユニット２０３の構成を説明する。裏パックユニット２０３は、樹脂成形された裏パック３５１と遊技球の払出機構部３５２とを一体化したものである。
【００５４】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００５５】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００５６】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００５７】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００５８】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００５９】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６０】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００６１】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００６２】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００６３】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００６４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００６６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００６７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００６８】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００６９】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７０】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００７１】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００７２】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００７４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００７５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００７６】
次に、内枠１２の施錠機構及び前面枠セット１４の施錠機構について説明する。本実施形態では、内枠１２は外枠１１に対し施錠され、前面枠セット１４は内枠１２に対し施錠される。これら両施錠機構は単一の施錠装置６００（図３等参照）によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４を解錠できるようになっている。
【００７７】
施錠装置６００について図１０乃至図１９を参照して詳しく説明する。ここで、図１０は、施錠装置６００を背面左側から見た斜視図であり、図１１は、施錠装置６００を正面左側から見た斜視図である。但し、図１０，１１では、便宜上、施錠装置６００に関連する外枠１１、内枠１２及び前面枠セット１４の関連部分も併せて模式的に図示するとともに、内枠１２の施錠状態にある施錠装置６００が示されている。また、図１２は、施錠装置６００の背面図であり、図１３は右側面図、図１４は左側面図、図１５は正面図である。但し、図１２〜１５では便宜上、後述するカバー部材７４０を省略している。図１６は、背面側から見た施錠装置６００の分解図であり、図１７は、側面側から見た施錠装置６００の分解図である。図１８は、施錠装置６００を背面左側から見た分解斜視図であり、図１９は、施錠装置６００を正面右側から見た分解斜視図である。但し、図１８，１９では、便宜上、施錠装置６００に関連する外枠１１の受け金具８３，８４や、前面枠セット１４の受け金具９１，９２，９３等も併せて図示している。
【００７８】
施錠装置６００は、内枠１２の背面側の左側辺部に沿って取付けられている（図７参照）。施錠装置６００の外郭を構成する縦長の基枠６０１は、内枠１２の背面部に固定される取付部としての取付板６０２と、当該取付板６０２の内枠１２内方側（図７右側）の端縁から後方に突出した支持部としての支持板６０３と、取付板６０２の内枠１２外方側（図７左側）の端縁から後方に突出したフランジ部６０４とを備えている。支持板６０３に比べややフランジ部６０４の突出長が短いものの、基枠６０１は、取付板６０２、支持板６０３及びフランジ部６０４が一体となって横断面略コ字状をなしている。
【００７９】
支持板６０３やフランジ部６０４は、基枠６０１内側への線材等の侵入を防ぐ機能を有している。これにより、後述する内鉤部材６２３等の各種鉤部材や、第２摺動杆６２５等の各摺動杆などに対する不正な解錠操作を抑止することができる。
【００８０】
なお、基枠６０１、内鉤部材６２３等の各種鉤部材、第２摺動杆６２５等の各摺動杆など、施錠装置６００を構成する各部材は、金属平板をプレス成形等することにより形成されている。
【００８１】
また、取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。
【００８２】
ここで、先ず前面枠セット１４の施錠機構に係る部分について説明する。基枠６０１の内側には、前面枠セット１４の施錠機構の構成部となる第１摺動杆６０９が上下方向に摺動可能なように配設されている。
【００８３】
第１摺動杆６０９は、支持板６０３に沿って配設される長尺状の本体部６１０と、前面枠セット１４施錠用の３つの前鉤部６１６，６１７，６１８とからなる。
【００８４】
前鉤部６１６，６１７，６１８は、本体部６１０の前縁部にて、その上部、中部及び下部の３箇所に設けられている。
【００８５】
前鉤部６１６，６１７，６１８は、本体部６１０の内枠１２外方側に突出形成されかつ取付板６０２に沿って配設される基部６１６ａ，６１７ａ，６１８ａと、当該基部６１６ａ，６１７ａ，６１８ａの内枠１２外方側の端縁部から前方に向け延出した軸部６１６ｂ，６１７ｂ，６１８ｂと、当該軸部６１６ｂ，６１７ｂ，６１８ｂの前端側において前方へ先細りするように設けられた略三角形状の頭部６１６ｃ，６１７ｃ，６１８ｃとから構成されている。頭部６１６ｃ，６１７ｃ，６１８ｃの上端部は、軸部６１６ｂ，６１７ｂ，６１８ｂより上方に突出しており、当該突出部分が係合部として機能する。
【００８６】
基部６１６ａ，６１７ａ，６１８ａには、上下方向に長い長円状のガイド孔６１６ｄ，６１７ｄ，６１８ｄが形成されている。これらガイド孔６１６ｄ，６１７ｄ，６１８ｄを介して、基枠６０１の後側から差し込まれたガイドピン６１９，６２０，６２１が取付板６０２に固定されている。
【００８７】
前鉤部６１６，６１７，６１８に対応して、取付板６０２には、上下方向３箇所に略矩形状の鉤挿通孔６０５，６０６，６０７が形成されており、当該鉤挿通孔６０５，６０６，６０７から、軸部６１６ｂ，６１７ｂ，６１８ｂ及び頭部６１６ｃ，６１７ｃ，６１８ｃのみが前方に突出している。
【００８８】
一方、内枠１２のうち、鉤挿通孔６０５，６０６，６０７に対応する部位には、連通孔９７，９８，９９が形成されている（図６参照）。そして、これら連通孔９７，９８，９９を介して、前鉤部６１６，６１７，６１８が内枠１２前面側に突出する。
【００８９】
また、支持板６０３の膨出部６０３ａに対応する本体部６１０の所定の上下区間（中段の前鉤部６１７と下段の前鉤部６１８との間）には、内枠１２内方側へ膨出した膨出部６１０ａが形成されている。但し、本体部６１０の膨出部６１０ａの形成区間は、支持板６０３の膨出部６０３ａの形成区間よりも短く設定されており、第１摺動杆６０９の摺動の妨げとならないようになっている。
【００９０】
上記構成により、第１摺動杆６０９は、上記ガイドピン６１９等により、左右方向や前後方向への動きを規制されつつ、上下方向へ摺動できるようになっている。
【００９１】
通常時、第１摺動杆６０９は、コイルばねＣ１により上方へ付勢されている。より詳しくは、コイルばねＣ１は、一端が上段の前鉤部６１６の基部６１６ａに設けられたフック部６１６ｅに掛けられるとともに、他端が、取付板６０２に設けられたフック部６２２に掛けられている。これにより、第１摺動杆６０９は、通常、ガイドピン６１９，６２０，６２１がガイド孔６１６ｄ，６１７ｄ，６１８ｄの下縁部に当接した状態で保持される。
【００９２】
なお、第１摺動杆６０９の摺動範囲のうち、ガイドピン６１９，６２０，６２１が、ガイド孔６１６ｄ，６１７ｄ，６１８ｄの下縁部に当接する位置が、前鉤部６１６，６１７，６１８が上記受け金具９１，９２，９３に係合可能な施錠位置となる。
【００９３】
これに対し、コイルばねＣ１の引張力（付勢力）に抗して、第１摺動杆６０９が下方へ摺動し、ガイドピン６１９，６２０，６２１が、ガイド孔６１６ｄ，６１７ｄ，６１８ｄの上縁部に当接する位置が、前鉤部６１６，６１７，６１８が受け金具９１，９２，９３から離脱可能な解錠位置となる。
【００９４】
ここで、受け金具９１，９２，９３の構成について詳しく説明する。受け金具９１，９２，９３は、補強金具９０の背面側に固定される取付部９１ａ，９２ａ，９３ａと、当該取付部９１ａ，９２ａ，９３ａから後方へ延出した延出部９１ｂ，９２ｂ，９３ｂと、当該延出部９１ｂ，９２ｂ，９３ｂの後端部から前面枠セット１４の内方側へ延出した被係合部９１ｃ，９２ｃ，９３ｃとを備えている。そして、被係合部９１ｃ，９２ｃ，９３ｃに対し、前鉤部６１６，６１７，６１８が係合されることで、前面枠セット１４が施錠状態となる。
【００９５】
次に、内枠１２の施錠機構に関連する部分について詳しく説明する。基枠６０１の内側には、内枠１２施錠用の上下一対の内鉤部材６２３，６２４と、これらに連結された第２摺動杆６２５とが配設されている。内鉤部材６２３，６２４が本実施形態における係合部材に相当し、第２摺動杆６２５が連結部材に相当する。
【００９６】
基枠６０１の支持板６０３の後縁部には、上下２箇所において、後方へ延出した延出部６２７，６２８が形成されている。上部の延出部６２７は、第１摺動杆６０９の本体部６１０の摺動範囲の上限位置よりもやや上方位置に設けられ、下部の延出部６２８は、第１摺動杆６０９の本体部６１０の摺動範囲の下限位置よりもやや下方位置に設けられている。
【００９７】
内鉤部材６２３，６２４は、軸ピン６２９，６３０により、延出部６２７，６２８の内枠１２外方側にて回動可能に軸支されている。
【００９８】
第２摺動杆６２５は、長尺状をなし、第１摺動杆６０９の本体部６１０の内枠１２外方側に重畳するように配設されている。
【００９９】
第２摺動杆６２５には、支持板６０３の膨出部６０３ａ（第１摺動杆６０９の膨出部６１０ａ）に対応する所定の上下区間において、内枠１２内方側へ膨出した膨出部６２５ａが形成されている。但し、第２摺動杆６２５の膨出部６２５ａの形成区間は、支持板６０３の膨出部６０３ａ（第１摺動杆６０９の膨出部６１０ａ）の形成区間よりも短く設定されており、第２摺動杆６２５の摺動の妨げとならないようになっている。
【０１００】
第２摺動杆６２５の上端部及び下端部は、内枠１２外方側から内鉤部材６２３，６２４の前端部及びその近傍（取付板６０２側の端部及びその近傍）に重畳するように配設されている。そして、当該重畳部分において、第２摺動杆６２５と内鉤部材６２３，６２４とが軸ピン６３１，６３２を介して相対変位可能に連結されている。具体的には、第２摺動杆６２５に対し内鉤部材６２３，６２４がそれぞれ回動変位可能となっている。これにより、第２摺動杆６２５の上下方向の摺動変位（若干の前後方向への変位を伴う）に連動して、内鉤部材６２３，６２４が同期して回動変位する。
【０１０１】
内鉤部材６２３，６２４は、その後上部にて係合凹部６２３ａ，６２４ａが形成されている。そして、係合凹部６２３ａ，６２４ａより後側にあたる頭部６２３ｂ，６２４ｂは、係合部として機能する。内鉤部材６２３，６２４（頭部６２３ｂ，６２４ｂ）の後縁部は、内鉤部材６２３，６２４の下縁部に略直交するように、上下方向に沿って略直線状に形成されている。
【０１０２】
また、係合凹部６２３ａ，６２４ａの前側には、当該係合凹部６２３ａ，６２４ａの前縁部に沿って上方に突出した作用部６２３ｃ，６２４ｃが形成されている。係合凹部６２３ａ，６２４ａの底部からの作用部６２３ｃ，６２４ｃの突出長Ｘ１は、頭部６２３ｂ，６２４ｂの突出長Ｘ２よりも長く設定されている。本実施形態では、作用部６２３ｃ，６２４ｃの突出長Ｘ１は、頭部６２３ｂ，６２４ｂの突出長Ｘ２の２倍以上に設定されている。
【０１０３】
内鉤部材６２３，６２４のうち、頭部６２３ｂ，６２４ｂ、係合凹部６２３ａ，６２４ａ及び作用部６２３ｃ，６２４ｃよりなる後方部分は、支持板６０３の一般部の後縁部よりも後方へ突出している。また、支持板６０３には、軸ピン６３１，６３２が係合する円弧状のガイド孔６３３，６３４が形成されている。
【０１０４】
また、取付板６０２には、上下方向２箇所において、第２摺動杆６２５の内枠１２外方側への動きを規制する規制突起６０２ｃが設けられている。規制突起６０２ｃは、第２摺動杆６２５の取付状態の安定性を高める機能とともに、第２摺動杆６２５の摺動動作の安定性を高めるガイド部としての機能を備えている。これにより、第２摺動杆６２５は、若干の前後方向への変位が許容されつつ、規制突起６０２ｃにより左右方向への動きを規制された状態で、上下方向へ摺動できるようになっている。
【０１０５】
通常時（後述するロック部材６６０による規制解除時）、第２摺動杆６２５は、付勢部材としてのコイルばねＣ２により上方へ付勢されている。より詳しくは、コイルばねＣ２は、一端が第２摺動杆６２５に設けられたフック部６２５ｂに掛けられるとともに、他端が、取付板６０２に設けられたフック部６２６に掛けられている。
【０１０６】
コイルばねＣ２の引張力（付勢力）により、第２摺動杆６２５が上方の解錠位置（第２切換位置）に引き上げられている状態においては、当該第２摺動杆６２５に連結された内鉤部材６２３，６２４は、その前端部が上方へ持ち上げられ、軸ピン６３１，６３２がガイド孔６３３，６３４の上端縁部に当接した状態となる（図２５参照）。つまり、内鉤部材６２３，６２４は、その前側が上に、後側が下となるように、その姿勢が傾いた状態となる。
【０１０７】
そして、コイルばねＣ２の引張力に抗して第２摺動杆６２５が下方へ引き下げられ、ロック部材６６０により、第２摺動杆６２５が下方の施錠位置（第１切換位置）にて保持されている状態では、軸ピン６３１，６３２がガイド孔６３３，６３４の下端縁部に当接した状態となる（図２４参照）。つまり、内鉤部材６２３，６２４は、その姿勢が略水平状態となる。
【０１０８】
従って、内鉤部材６２３，６２４の回動範囲のうち、軸ピン６３１，６３２がガイド孔６３３，６３４の上端縁部に当接する位置が、内鉤部材６２３，６２４が受け金具８３，８４から離脱可能な解錠位置となる。これに対し、軸ピン６３１，６３２がガイド孔６３３，６３４の下端縁部に当接する位置が、内鉤部材６２３，６２４が受け金具８３，８４に係合可能な施錠位置となる。
【０１０９】
ここで、受け金具８３，８４の構成について詳しく説明する。受け金具８３，８４は、外枠１１の右辺枠構成部１１ｄの内側にネジ等により固定される右壁部８３ａ，８４ａと、当該右壁部８３ａ，８４ａの後縁部から外枠１１内方側へ延出した後壁部８３ｂ，８４ｂと、当該後壁部８３ｂ，８４ｂの外枠１１内方側の縁部から前方へ延出した左壁部８３ｃ，８４ｃとを備え、全体としては前方に向け凹となる横断面略コ字状に形成されている。
【０１１０】
また、右壁部８３ａ，８４ａと左壁部８３ｃ，８４ｃとの間には、内鉤部材６２３，６２４が係合する棒状の被係合部８３ｄ，８４ｄが架け渡されている。そして、内鉤部材６２３，６２４が被係合部８３ｄ，８４ｄに係合された状態では、内鉤部材６２３，６２４の周囲が、各壁部８３ａ〜８３ｃ，８４ａ〜８４ｃによって囲まれた状態となる。これにより、受け金具８３，８４に係合される内鉤部材６２３，６２４に対し、線材等を引っ掛けにくくなるため、不正解錠に対する防御性能の向上を図ることができる。
【０１１１】
さて、支持板６０３の膨出部６０３ａには、その後縁部から後方へ延出した延出壁部６０３ｂが形成されている。この延出壁部６０３ｂには、規制部材としてのロック部材６６０が設けられている。ロック部材６６０は、上述したように、コイルばねＣ２の引張力に抗して、第２摺動杆６２５を下方の施錠位置に保持する機能を有するとともに、不正解錠を防止する機能も有している。例えば、内枠１２の閉鎖状態において、鍵Ｋを用いずに第２摺動杆６２５や内鉤部材６２３，６２４に対し、線材等を不正に引っ掛ける等して、解錠方向への外力がかけられた場合に、第２摺動杆６２５の摺動変位を規制し、ひいては内鉤部材６２３，６２４を施錠位置に維持することができる。
【０１１２】
ロック部材６６０は、縦長で略平板状の本体片部６６０ａを備えている。本体片部６６０ａには、その下部に軸孔６６０ｂが形成されるとともに、略中央部にガイド孔６６０ｃが形成されている。ガイド孔６６０ｃは、軸孔６６０ｂを中心にとって略円弧状に形成されている。そして、内枠１２外方側からこれら軸孔６６０ｂ，ガイド孔６６０ｃに対しそれぞれ差し込まれた軸ピン６６３，６６４が支持板６０３の延出壁部６０３ｂに固定されている。これにより、ロック部材６６０は、前後方向及び上下方向に沿った平面に沿って、軸孔６６０ｂ（軸ピン６６３）を中心として回動変位可能に軸支されている。
【０１１３】
本体片部６６０ａの上端部には、内枠１２外方側へ向けて突出した規制片部６６０ｄが設けられ、規制片部６６０ｄの前端部には、上方へ屈曲形成された当接部６６０ｅが設けられている。この規制片部６６０ｄが第２摺動杆６２５の摺動変位を規制する機能を果たす。
【０１１４】
そして、この規制片部６６０ｄに第２付勢部材としてのコイルばねＣ３の一端が掛けられるとともに、他端が、延出壁部６０３ｂに設けられたフック部６６５に掛けられている。これにより、ロック部材６６０は、上部が上前方へ引っ張られ、前方へ付勢される。
【０１１５】
第２摺動杆６２５の摺動変位を規制する規制時においては、ロック部材６６０は、ガイド孔６６０ｃの後縁部が軸ピン６６４に当接した状態となり、本体片部６６０ａが上下方向に沿った基準姿勢（規制姿勢）をとる（図２４参照）。
【０１１６】
これに対し、規制解除時においては、ロック部材６６０は、コイルばねＣ３の引張力（付勢力）に抗して変位し、ガイド孔６６０ｃの前縁部が軸ピン６６４に当接した状態となり、本体片部６６０ａの姿勢が傾いた状態となる（図２５参照）。
【０１１７】
つまり、ロック部材６６０の回動範囲のうち、軸ピン６６４がガイド孔６６０ｃの後縁部に当接する位置が、第２摺動杆６２５の摺動変位を規制する規制位置となる。これに対し、軸ピン６６４がガイド孔６６０ｃの前縁部に当接する位置が、その規制を解除する規制解除位置となる。
【０１１８】
規制片部６６０ｄに対応して、第２摺動杆６２５の膨出部６２５ａには、その後縁部から後方に延出した係合突起６２５ｄが形成されている。そして。この係合突起６２５ｄの上端部に規制片部６６０ｄが係合することにより、第２摺動杆６２５の上方への変位が規制される。
【０１１９】
また、本体片部６６０ａの略中央部には、その前縁部から延出した係合部６６０ｆが形成されている。係合部６６０ｆは、後述するシリンダ錠７００のカム板７２０が作用する作用部として機能する。係合部６６０ｆは、第２摺動杆６２５の厚み分を考慮し、その付根部において本体片部６６０ａと段差をもって形成されている。係合部６６０ｆの前縁部は、上縁部及び下縁部に対し傾斜しており、下縁部側から上縁部側にかけて先細りした形状となっている。そして、この前縁部においてカム板７２０が係合する。
【０１２０】
さて、取付板６０２の幅広部６０２ａには、錠部材としてのシリンダ錠７００が取付けられており、その前面側は前面枠セット１４の前面側に露出している。
【０１２１】
図２０に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１２２】
シリンダ錠７００は、取付板６０２の取付孔６０２ｄに対しシリンダ本体７０１を挿通した状態で、フランジ部７０５を取付板６０２の背面側にネジ７１９より固定されている。
【０１２３】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１２４】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１２５】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図２１に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１２６】
また、錠軸７０３の後端部には、鍵穴７０２に挿入された鍵Ｋの回動動作を第１摺動杆６０９やロック部材６６０に伝達する伝達部としてのカム板７２０が固定されている。
【０１２７】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。また、本実施形態では、下係合爪７２０ｂの長さが、上係合爪７２０ａの長さよりもやや短く設定されている（図１６参照）。
【０１２８】
カム板７２０に対応して、第１摺動杆６０９の膨出部６１０ａには、上係合爪７２０ａが係合可能な上係合凹部７２５と、下係合爪７２０ｂが出入可能な下孔７２６とが形成されている。また、支持板６０３の膨出部６０３ａ、及び、第２摺動杆６２５の膨出部６２５ａには、それぞれ少なくとも上係合凹部７２５から下孔７２６の形成範囲に対応して縦長の透孔７３１，７３２が形成されている。下孔７２６及び透孔７３１，７３２は、カム板７２０が動作する場合や、第２摺動杆６２５が摺動する場合に、両係合爪７２０ａ，７２０ｂが支持板６０３や第２摺動杆６２５と干渉しないようにするためのものである。
【０１２９】
そして、第１摺動杆６０９の膨出部６１０ａ及び第２摺動杆６２５の膨出部６２５の重畳状態にあっては、第２摺動杆６２５の透孔７３２と、第１摺動杆６０９の上係合凹部７２５及び下孔７２６とが連通状態となっている。
【０１３０】
上記構成のもと、シリンダ錠７００の鍵穴７０２に鍵Ｋが挿し込まれていない状態で、錠軸７０３及びカム板７２０が基準位置にある場合には、上係合爪７２０ａの先端が、第２摺動杆６２５の透孔７３２を介して第１摺動杆６０９の上係合凹部７２５に挿通状態となる一方、下係合爪７２０ｂの先端は、第１摺動杆６０９の下孔７２６には挿通されない状態となっている。
【０１３１】
上述したように、本実施形態のシリンダ錠７００は、鍵穴７０２に鍵Ｋの挿入がない場合には錠軸７０３及びカム板７２０を回動させることができない状態（ロック状態）となる。そのため、カム板７２０が基準位置にある場合には、第１摺動杆６０９に関しては、上係合爪７２０ａにより、第１摺動杆６０９の摺動が規制されることとなる。例えば、仮に鍵Ｋを用いずに、施錠位置にある第１摺動杆６０９に対し線材等を不正に引っ掛けて、当該第１摺動杆６０９に対し解錠方向への外力がかけられた場合には、上係合爪７２０ａが第１摺動杆６０９の上係合凹部７２５の縁部に引っ掛かり、第１摺動杆６０９の解錠方向への摺動変位が、上係合凹部７２５等の遊び長を除き実質的に規制される。
【０１３２】
また、施錠装置６００には、シリンダ錠７００の背面側を覆うようにしてカバー部材７４０が取付固定されている。カバー部材７４０によって、カム板７２０、第１摺動杆６０９の膨出部６１０ａ、第２摺動杆６２５の膨出部６２５、ロック部材６６０等が覆われる。
【０１３３】
カバー部材７４０は、ネジ等の固定手段により取付板６０２の後面に取付固定される取付基部７４０ａと、支持板６０３の膨出部６０３ａ及び延出壁部６０３ｂを覆う保護部７４０ｂとを備えている。本実施形態では、カバー部材７４０は、硬質で透明な樹脂材料（例えばポリカーボネート）により構成されている。
【０１３４】
取付基部７４０ａは、その取付状態においてシリンダ錠７００のフランジ部７０５及びカム板７２０を覆うようにして、その上下両端部にてネジ止めされる。より詳しくは、図２８，２９に示すように、取付基部７４０ａは、取付状態においてシリンダ錠７００のフランジ部７０５及びカム板７２０を覆う収容部７４０ｃと、当該収容部７４０ｃの上下両部に形成された取付部７４０ｄとを備えている。各取付部７４０ｄには、前後に貫通するネジ孔が形成されている。そして、取付部７４０ｄのネジ孔と、取付板６０２に形成された取付孔とを位置合わせし、ネジ止めすることで、カバー部材７４０が施錠装置６００に取付固定される。
【０１３５】
保護部７４０ｂは、前方に開口した略箱状をなし、その内側に、支持板６０３の延出壁部６０３ｂが差し込まれるようにして配設される。これにより、支持板６０３の膨出部６０３ａの上下方向略全域が覆われる（図７参照）。より詳しくは、保護部７４０ｂは、取付基部７４０ａの左端縁から後方に延びる右壁部７４０ｆと、右壁部７４０ｆの後端縁から左方に向けて延びる背壁部７４０ｇと、右壁部７４０ｆに並行して背壁部７４０ｇから前方に向けて延びる左壁部７４０ｈと、背壁部７４０の上下両縁部からそれぞれ前方に向けて延びる上壁部７４０ｊ及び下壁部７４０ｋとを備えている。そして、カバー部材７４０の取付状態においては、左壁部７４０ｈが支持板６０３の延出壁部６０３ｂの内枠１２内方側（左側）を覆い、右壁部７４０ｆが膨出部６０３ａ及び延出壁部６０３ｂの内枠１２外方側（右側）を覆う。また、右壁部７４０ｆと上壁部７４０ｊとの間には、取付状態において、当該部分と支持板６０３の膨出部６０３ａとの間に形成される隙間を塞ぐ被覆部７４０ｍが形成されている。同様に、右壁部７４０ｆと下壁部７４０ｋとの間には、当該部分と支持板６０３の膨出部６０３ａとの間に形成される隙間を塞ぐ被覆部７４０ｎが形成されている。
【０１３６】
次に、施錠装置６００の作用について詳しく説明する。先ず内枠１２の施錠及び解錠について詳しく説明する。内枠１２の施錠状態においては、第２摺動杆６２５が施錠位置をとることにより、内鉤部材６２３，６２４の頭部６２３ｂ，６２４ｂが、受け金具８３，８４の被係合部８３ｄ，８４ｄに対して係合され、内枠１２の開放が規制されている（図２４参照）。
【０１３７】
内枠１２が施錠された状態では、第２摺動杆６２５の係合突起６２５ｄの直上に、ロック部材６６０の規制片部６６０ｄが位置し、第２摺動杆６２５の上方への摺動が規制されている。
【０１３８】
そして、内枠１２を解錠する際には、シリンダ錠７００の鍵穴７０２に鍵Ｋを挿入し、パチンコ機１０の正面側から見て時計回り方向に回動させる。この操作が本実施形態における特定の操作に相当する。これにより、カム板７２０が同方向に回動して、下係合爪７２０ｂがロック部材６６０の係合部６６０ｆの前縁部（傾斜部分）に接触する。
【０１３９】
その後、さらにカム板７２０を回動させていくに従って、下係合爪７２０ｂがロック部材６６０の係合部６６０ｆを上方へ押し上げていく。これにより、ロック部材６６０は後方への力を受け、コイルばねＣ３の引張力に抗して後方へ回動する。
【０１４０】
そして、ロック部材６６０の規制片部６６０ｄと、第２摺動杆６２５の係合突起６２５ｄとの係合が外れると、第２摺動杆６２５は、コイル部材Ｃ２の引張力により、上方へと引き上げられる。
【０１４１】
第２摺動杆６２５が上方へ摺動すると、規制片部６６０ｄ前端の当接部６６０ｅが第２摺動杆６２５の係合突起６２５ｄの後端縁に付勢された状態となり、ロック部材６６０が規制位置に戻らないようになっている。つまり、係合突起６２５ｄの後端縁が、本実施形態における連結部材の特定部位に相当する。
【０１４２】
第２摺動杆６２５が上方へ摺動していくに従って、内鉤部材６２３，６２４が回動し、その頭部６２３ｂ，６２４ｂが受け金具８３，８４の被係合部８３ｄ，８４ｄから外れていく。これとともに、作用部６２３ｃ，６２４ｃが、受け金具８３，８４の被係合部８３ｄ，８４ｄを押していく。
【０１４３】
そして、受け金具８３，８４の被係合部８３ｄ，８４ｄが、内鉤部材６２３，６２４の係合凹部６２３ａ，６２４ａから抜け出し、内鉤部材６２３，６２４と受け金具８３，８４とが離脱状態となる（図２２，図２５参照）。
【０１４４】
内鉤部材６２３，６２４の作用部６２３ｃ，６２４ｃが、受け金具８３，８４の被係合部８３ｄ，８４ｄを押すことによって、内枠１２が前方へ押され、自動的に内枠１２が開放される。
【０１４５】
一旦、内枠１２が解錠状態となると、第２摺動杆６２５及び内鉤部材６２３，６２４は、コイルばねＣ２の引張力により、解錠位置に保持されたままとなる。
【０１４６】
そして、内枠１２を施錠する際には、第２摺動杆６２５及び内鉤部材６２３，６２４が解錠位置に保持された状態のまま、鍵Ｋを用いることなく施錠を行うこととなる。より詳しくは、開状態の内枠１２を閉じていくと、まず内鉤部材６２３，６２４の作用部６２３ｃ，６２４ｃが、受け金具８３，８４の被係合部８３ｄ，８４ｄに接触する。さらに、内枠１２を閉じていくと、コイルばねＣ２の引張力に抗して、内鉤部材６２３，６２４が前方へ回動するとともに、第２摺動杆６２５が下方へ摺動する。
【０１４７】
そして、内鉤部材６２３，６２４の頭部６２３ｂ，６２４ｂが受け金具８３，８４の被係合部８３ｄ，８４ｄの裏側へ回り込むとともに、受け金具８３，８４の被係合部８３ｄ，８４ｄが、内鉤部材６２３，６２４の係合凹部６２３ａ，６２４ａに入り込むようにして、内鉤部材６２３，６２４が施錠位置に戻る。このようにして、内鉤部材６２３，６２４の頭部６２３ｂ，６２４ｂが受け金具８３，８４の被係合部８３ｄ，８４ｄに係合された状態となる。
【０１４８】
同時に、第２摺動杆６２５の係合突起６２５ｄの上端部が、ロック部材６６０の規制片部６６０ｄの位置まで引き下げられると、ここまでロック部材６６０を規制解除位置に保持していた規制片部６６０ｄ前端の当接部６６０ｅと第２摺動杆６２５の係合突起６２５ｄの後端縁との係合が外れるため、ロック部材６６０はコイルばねＣ３の引張力により元の規制位置へ戻る。
【０１４９】
そして、第２摺動杆６２５の係合突起６２５ｄの直上に、ロック部材６６０の規制片部６６０ｄが位置し、第２摺動杆６２５の上方への摺動が規制された状態となる。これにより、内枠１２の開放が規制された状態となり、施錠が完了する。
【０１５０】
次に前面枠セット１４の施錠及び解錠について詳しく説明する。前面枠セット１４の施錠状態においては、第１摺動杆６０９が施錠位置をとることにより、上述したように前面枠セット１４側の受け金具９１，９２，９３（被係合部９１ｃ，９２ｃ，９３ｃ）に対して前鉤部６１６，６１７，６１８の頭部６１６ｃ，６１７ｃ，６１８ｃが係合され、前面枠セット１４の開放が規制されている（図２４参照）。
【０１５１】
前面枠セット１４を解錠する際には、シリンダ錠７００の鍵穴７０２に挿入した鍵Ｋを挿入し、パチンコ機１０の正面側から見て反時計回り方向に回動させる。これにより、カム板７２０が同方向に回動して、上係合爪７２０ａが第１摺動杆６０９の上係合凹部７２５の下縁部に接触し、当該上係合爪７２０ａに押下げられるようにして第１摺動杆６０９が下方に摺動する（図２３，図２６参照）。
【０１５２】
コイルばねＣ１の引張力に抗して、第１摺動杆６０９が下方へ摺動すると、前鉤部６１６，６１７，６１８と受け金具９１，９２，９３との係合が解除され、前面枠セット１４の開放が許容される。また、前面枠セット１４が開放された時点で、鍵Ｋを操作する手の力を緩めると、コイルばねＣ１の引張力により、第１摺動杆６０９は上方へ引き上げられ、施錠位置に復帰する。
【０１５３】
一方、前面枠セット１４を施錠する際には、鍵Ｋを用いることなく施錠を行うことができるよう構成されている。より詳しくは、開状態にある前面枠セット１４を閉じていくと、前鉤部６１６，６１７，６１８の頭部６１６ｃ，６１７ｃ，６１８ｃの傾斜部位が受け金具９１，９２，９３の被係合部９１ｃ，９２ｃ，９３ｃ下辺に接触する。さらに、前面枠セット１４を閉じていくと、前鉤部６１６，６１７，６１８が下方へ押され、コイルばねＣ１の引張力に抗して一旦下方へ摺動する。その後、前鉤部６１６，６１７，６１８の頭部６１６ｃ，６１７ｃ，６１８ｃが被係合部９１ｃ，９２ｃ，９３ｃを越えると、コイルばねＣ１の引張力により前鉤部６１６，６１７，６１８が元の位置に戻り、被係合部９１ｃ，９２ｃ，９３ｃに係合される。これにより、前面枠セット１４の開放が規制された状態となり、施錠が完了する。
【０１５４】
以上詳述したように、シリンダ錠７００を操作して内枠１２を解錠すれば、自動的に内枠１２が前方へ押し出され開放される。これにより、内枠１２の重量が比較的重い場合でも、内枠１２の開く方向へ力がかかるため、比較的容易に内枠１２を開放することができる。結果として、一方の手でシリンダ錠７００を操作しつつ、他方の手で内枠１２を支えながら前方へ引っ張る等の面倒な作業を行う必要もなく、利便性の向上が図られる。
【０１５５】
また、コイルばねＣ２は、第２摺動杆６２５を介して内鉤部材６２３，６２４を付勢する構成となっているため、各内鉤部材６２３，６２４に対応して複数のコイルばねを設ける必要もなく、部品点数の増加を抑制することができる。
【０１５６】
加えて、本実施形態では、ロック部材６６０を覆うカバー部材７４０を備えている。これにより、線材等をロック部材６６０に引っ掛けて規制解除し、内枠１２を開放するといった不正解錠操作を防止することができる。結果として、不正解錠に対する防御性能の向上を図ることができる。また、各内鉤部材６２３，６２４に対応して複数のカバー部材を設ける必要もなく、部品点数の増加を抑制することができる。
【０１５７】
内枠１２の開放時に受け金具８３，８４の被係合部８３ｄ，８４ｄに対し作用する内鉤部材６２３，６２４の作用部６２３ｃ，６２４ｃが、内枠１２の閉鎖時においても被係合部８３ｄ，８４ｄと係り合うことで、内枠１２を閉じれば、自動的に内枠１２が施錠される構成となっている。結果として、内枠１２を施錠する際に、鍵Ｋによる施錠操作を行う必要もなく、利便性の向上が図られる。
【０１５８】
また、内枠１２の施錠状態において受け金具８３，８４の被係合部８３ｄ，８４ｄに係合される頭部６２３ｂ，６２４ｂとは異なる作用部６２３ｃ，６２４ｃに対し、被係合部８３ｄ，８４ｄが接触することで、内鉤部材６２３，６２４が変位する構成となっている。つまり、内枠１２を閉じる際に頭部６２３ｂ，６２４ｂと被係合部８３ｄ，８４ｄとが接触しない構成となる。このため、内枠１２の閉鎖時に頭部６２３ｂ，６２４ｂが被係合部８３ｄ，８４ｄに接触して変形等してしまうおそれを防止することができる。
【０１５９】
さらに、本実施形態では、シリンダ錠７００が第２摺動杆６２５を直接的に動かす構成ではないため、鍵Ｋによるシリンダ錠７００の解錠操作時の負荷を考慮する必要もなく、比較的引張力の強いコイルばねＣ２を用いることができる。結果として、内枠１２の開時には、当該内枠１２を前方へ押す力を大きくできるとともに、内枠１２の閉時には、被係合部８３ｄ，８４ｄと接触する内鉤部材６２３，６２４（作用部６２３ｃ，６２４ｃ）を、内枠１２閉時の衝撃を吸収する緩衝手段として機能させることができる。
【０１６０】
また、ロック部材６６０が、前後方向及び上下方向に沿って形成された延出壁部６０３ｂにて、軸孔６６０ｂ（軸ピン６６３）を中心として回動変位可能に軸支された構成となっている。つまり、ロック部材６６０が左右方向へ変位しない構成となっているため、施錠装置６００の横幅の拡張を抑制することができ、ひいては遊技領域や各種制御基板等の設置スペースをより広く確保することができる。
【０１６１】
なお、上述した実施形態の記載内容に限定されず、例えば次のように実施してもよい。
【０１６２】
（ａ）施錠装置６００の構成は上記実施形態に限定されるものではない。例えば、上記実施形態では、内枠１２の施錠機構及び前面枠セット１４の施錠機構が、単一の施錠装置６００によって具現化されている。これに限らず、例えば前面枠セット１４が内枠１２と一体形成された構成等においては、当該前面枠セット１４の施錠機構を省略した構成としてもよい。
【０１６３】
また、扉体を開放する際に当該扉体が自動的に前方へ押し出される構成を、上記実施形態では、支持体としての外枠１１に開閉可能に支持された扉体としての内枠１２を開放する構成に採用している。これに限らず、例えば支持体としての内枠１２に開閉可能に支持された扉体としての前面枠セット１４を開放する構成に採用してもよい。
【０１６４】
また、施錠装置が設けられる位置も内枠１２に限定されるものではなく、例えば内枠１２が押し出されて開放される構成においては、外枠１１に設けてもよいし、前面枠セット１４が押し出されて開放される構成においては、前面枠セット１４に設けてもよい。
【０１６５】
（ｂ）シリンダ錠７００の構成は上記実施形態に限定されるものではない。上記実施形態では、鍵Ｋの非挿入状態においてシリンダ錠７００がロック状態となり、第１摺動杆６０９の摺動変位がカム板７２０により規制される構成を採用している。これに限らず、例えば、鍵Ｋの非挿入状態においてもロック状態とならない（カム板７２０が変位不能とならない）シリンダ錠を採用してもよい。勿論、錠部材はシリンダ錠に限定されるものではなく、この他、カードキーのような鍵を用いて操作されるものであってもよい。
【０１６６】
（ｃ）内鉤部材６２３，６２４や前鉤部６１６，６１７，６１８の構成は上記実施形態に限定されるものではない。例えば、上記実施形態では、内鉤部材６２３，６２４が、第２摺動杆６２５に対し回動変位可能に連結された構成を採用している。これに限らず、例えば、内鉤部材６２３，６２４が施錠位置と解錠位置とに上下方向に摺動変位する構成を採用してもよい。かかる場合、内鉤部材６２３，６２４が第２摺動杆６２５に一体形成された構成を採用してもよい。
【０１６７】
例えば、図２７（ａ）に示すように、上記実施形態の内鉤部材６２３，６２４を上下反転させたような鉤部６８０を第２摺動杆６２５の上下に一体形成し、内枠１２の施錠状態においては、第２摺動杆６２５が施錠位置をとることにより、鉤部６８０の頭部（係合部）６８０ａが、受け金具８４の被係合部８４ｄに対して係合され、内枠１２の開放が規制される。そして、内枠１２を解錠する際には、シリンダ錠７００を操作して、ロック部材６６０による規制を解除すると、コイル部材Ｃ２の引張力により、鉤部６８０（第２摺動杆６２５）が上方へ摺動し、その頭部６８０ａが受け金具８４の被係合部８４ｄから外れていく。これとともに、作用部６８０ｂが、受け金具８４の被係合部８４ｄを押していく。そして、図２７（ｂ）に示すように、受け金具８４の被係合部８４ｄが、鉤部６８０から完全に抜け出し、鉤部６８０と受け金具８４とが離脱状態となる。この際、鉤部６８０の作用部６８０ｂが、受け金具８４の被係合部８４ｄを押すことによって、内枠１２が前方へ押され、自動的に内枠１２が開放される。
【０１６８】
また、内枠１２を施錠する際、内枠１２を閉じていくと、まず鉤部６８０の作用部６８０ｂが、受け金具８４の被係合部８４ｄに接触する。そして、コイルばねＣ２の引張力に抗して、第２摺動杆６２５（鉤部６８０）が下方へ摺動して、鉤部６８０が施錠位置に戻り、鉤部材６８０の頭部６８０ａが受け金具８４の被係合部８４ｄに係合される。
【０１６９】
また、内鉤部材６２３等の各鉤部材、及び、これに対応する受け金具８３等の各被係合部の数は、上記実施形態の数に限定されるものではない。例えば内枠１２の施錠機構に対応して、鉤部材等を３つ以上備えた構成としてもよい。
【０１７０】
（ｄ）ロック部材６６０の構成は上記実施形態に限定されるものではない。例えば上記実施形態では、回動変位するロック部材６６０を採用しているが、これに限らず、例えば略水平方向にスライド変位するロック部材を採用してもよい。
【０１７１】
また、上記実施形態では、内枠１２を閉鎖すると、自動的にロック部材６６０がコイルばねＣ３の引張力により規制位置に変位する構成となっている。これに代えて、例えば内枠１２の開閉に伴い、電気的駆動手段により、ロック部材が規制位置と規制解除位置とに変位可能な構成としてもよい。具体例としては、例えば内枠１２の開放検知スイッチの検出結果に応じてソレノイド等を制御して、ロック部材を変位させる構成などが挙げられる。
【０１７２】
（ｅ）上記実施形態では、カム板７２０、第１摺動杆６０９の膨出部６１０ａ、第２摺動杆６２５の膨出部６２５、ロック部材６６０等が覆われるカバー部材７４０が取付固定されている。カバー部材の形状、素材、組付構造などは上記実施形態に限定されるものではない。また、取付位置、大きさ、範囲などに関しても適宜、変更可能である。例えば、カム板７２０を覆わずに、ロック部材６６０だけを覆うカバー部材を備えた構成としてもよい。
【０１７３】
（ｆ）上記実施形態とは異なるタイプのパチンコ機として実施してもよい。また、パチンコ機以外にも、アレンジボール機、それに類する雀球等の各種遊技機、スロットマシン、スロットマシンとパチンコ機とを融合した形式の遊技機などとして実施してもよい。
【０１７４】
以下、特許請求の範囲の請求項に記載されないものであって、上記実施形態から把握できる技術的思想について、その効果とともに記載する。
【０１７５】
手段１．支持体の前面側にて当該支持体に対し開閉可能に支持された扉体と、
前記支持体に対し前記扉体を施錠する施錠装置とを備えた遊技機であって、
前記施錠装置は、
前記支持体又は前記扉体の一方に取付けられるとともに、
前記支持体又は前記扉体の他方に設けられた被係合部に係合可能な施錠位置と、前記被係合部から離脱可能な解錠位置とに変位可能な複数の係合部材と、
前記複数の係合部材を連動させて、前記係合部材を前記施錠位置とする第１切換位置と、前記係合部材を前記解錠位置とする第２切換位置とに変位可能な連結部材と、
前記連結部材を前記第２切換位置側へ付勢することにより、当該連結部材を介して前記係合部材を前記解錠位置側へ付勢する付勢部材と、
前記付勢部材による付勢力に抗して、前記連結部材を前記第１切換位置側へ変位させた状態で維持することにより、当該連結部材の前記第２切換位置側への変位及び前記係合部材の前記解錠位置側への変位を規制する規制部材と、
鍵による特定の操作により前記規制部材を操作可能な錠部材と、
前記規制部材を覆うカバー部材とを備え、
前記係合部材は、
前記被係合部に係合される係合部と、これとは別に前記被係合部に接触可能な作用部とを備え、
前記係合部が前記被係合部に係合された状態で、前記連結部材を介して前記規制部材により前記係合部材の前記解錠位置側への変位が規制されることにより、前記扉体の開放が規制された施錠状態となり、
前記施錠状態において、前記錠部材に対して前記特定の操作があった場合には、前記規制部材による規制が解除され、前記付勢部材による付勢力により、前記連結部材が前記第２切換位置側へ変位して前記係合部材が前記解錠位置側へ変位し、
当該係合部材の変位動作により、前記係合部が前記被係合部から離脱しつつ、前記作用部が前記被係合部に作用して前記扉体が前方へ押され、解錠状態となることを特徴とする遊技機。
【０１７６】
上記手段１によれば、錠部材を操作して扉体を解錠すれば、自動的に扉体が前方へ押し出され開放される。これにより、扉体の重量が比較的重い場合でも、扉体の開く方向へ力がかかるため、比較的容易に扉体を開放することができる。結果として、一方の手で錠部材を操作しつつ、他方の手で扉体を支えながら前方へ引っ張る等の面倒な作業を行う必要もなく、利便性の向上が図られる。
【０１７７】
また、付勢部材（例えばコイルばね等の弾性部材）は、連結部材を介して複数の係合部材を付勢する構成となっているため、各係合部材に対応して複数の付勢部材を設ける必要もなく、部品点数の増加を抑制することができる。
【０１７８】
加えて、本手段では、規制部材を覆うカバー部材を備えている。これにより、線材等を規制部材に引っ掛けて規制解除し、扉体を開放するといった不正解錠操作を防止することができる。結果として、不正解錠に対する防御性能の向上を図ることができる。また、各係合部材に対応して複数のカバー部材を設ける必要もなく、部品点数の増加を抑制することができる。
【０１７９】
さらに、従来では、通常、係合部材を直接又は間接的に施錠位置側へ付勢する付勢部材を備えた構成となっているため、鍵による錠部材の解錠操作時の負荷を考慮して、比較的付勢力の強い付勢部材を用いることができなかった。これに対し、本手段の構成では、錠部材が、係合部材（連結部材）を規制する規制部材を動かす構成となっている、すなわち係合部材や連結部材を直接的に動かす構成ではないため、鍵による錠部材の解錠操作時の負荷をそれほど考慮する必要もない。結果として、係合部材（連結部材）を付勢する付勢部材として、比較的付勢力の強いものを用いることができ、扉体の解錠時に当該扉体を前方へ押し出す力を高めることができる。
【０１８０】
なお、係合部材（係合部）及び被係合部の「係合」とは、扉体を開方向に動かした場合に、係合部及び被係合部が接触して両者が係り合う位置関係にある状態をいう。つまり、扉体の施錠状態において、係合部及び被係合部が若干の遊びを有して非接触状態となっている場合でも、扉体を開方向に動かした場合に、係合部及び被係合部が接触して両者が係り合う位置関係にあれば、上記「係合」に含まれる。逆に、「離脱」とは、扉体を開方向に動かした場合に、係合部及び被係合部が接触しない位置関係、又は接触しつつも扉体を開放可能な位置関係にある状態をいう。
【０１８１】
また、係合部材などの所定部材が「変位」することには、上下方向などの直線的な位置変化に限らず、例えば回動可能に軸支された所定部材が回動し、その姿勢が変化して、係合部等の所定部位の位置だけが変化することなども含まれる。従って、所定部材の「変位」とあるのを、所定部材の「動作」との表現に置き換えることも可能である。
【０１８２】
手段２．前記カバー部材は、前記規制部材と共に、当該規制部材に作用する前記錠部材の伝達部を覆う構成であることを特徴する手段１に記載の遊技機。
【０１８３】
伝達部（カム板）が露出した構成では、当該伝達部に線材等を引っ掛けて、上記同様の不正行為が行われるおそれがある。これに対し、本手段２によれば、伝達部も併せてカバー部材によって覆うことにより、不正行為をより確実に防止することができる。また、規制部材及び錠部材の伝達部を１つのカバー部材により、まとめて覆うことにより、部品点数の増加を防ぐとともに、構成の簡素化を図ることができる。
【０１８４】
手段３．前記施錠装置の外郭を構成する基枠は、
前記支持体又は前記扉体の一方に取付固定される取付部と、当該取付部から前記支持体又は前記扉体の他方側（例えば後方）に突出した支持部とを備え、
前記錠部材は、前記取付部に取付けられ、
前記支持部は、前記錠部材の配設位置に対応する部位（高さ位置）において前記基枠の外方側に膨出する膨出部を備え、
前記規制部材は、前記膨出部に設けられていることを特徴とする手段２に記載の遊技機。
【０１８５】
上記手段３によれば、錠部材の近傍に規制部材を配置することにより、両者をまとめて覆うカバー部材をよりコンパクトなものとすることができる。
【０１８６】
手段４．前記支持部から前記支持体又は前記扉体の他方側（例えば後方）へ延出した延出壁部を備え、
前記規制部材は、前記延出壁部に取付けられ、前後方向及び上下方向に沿った平面に沿って変位可能に設けられていることを特徴とする手段２又は３に記載の遊技機。
【０１８７】
上記手段４のように、規制部材が、例えば前後方向に摺動変位可能又は左右方向を回動軸心として回動変位可能に設けられることにより、規制部材の左右方向への変位を抑えることができる。結果として、施錠装置の横幅の拡張を抑制することができ、ひいては扉体の中央領域（遊技領域等）の拡張を図ることができる。
【０１８８】
手段５．前記規制部材は、
前記連結部材の前記第２切換位置側への変位を規制する規制位置と、その規制を解除する規制解除位置とに変位可能に設けられるとともに、
前記規制部材を前記規制位置側へ付勢する第２付勢部材を備え、
前記連結部材が前記第２切換位置へ変位した場合には、当該連結部材の特定部位に前記規制部材が係合することにより、当該規制部材の前記規制位置側への変位が規制され、前記規制解除位置に保持され、
前記連結部材が前記第１切換位置に変位した場合には、前記連結部材の特定部位と前記規制部材との係合が外れ、前記第２付勢部材の付勢力により、前記規制部材が前記規制位置へ変位することを特徴とする手段１乃至４のいずれかに記載の遊技機。
【０１８９】
上記手段５によれば、規制部材による規制が一旦解除されると、連結部材により規制部材が規制位置に戻らなくなるため、連結部材を第２切換位置に、ひいては係合部材を解錠位置に維持できる。上記手段１等の構成の下では、扉体の開放時において、係合部材が施錠位置に維持されていると、係合部が被係合部に衝突してしまうおそれがある。
【０１９０】
この点、本手段によれば、扉体の解錠後、鍵から手を離しても係合部材が施錠位置へ戻らないため、扉体を閉じる際に施錠位置にある係合部と被係合部とが衝突するようなこともなく、係合部材の変形等を防止することができる。また、扉体を閉じれば、規制部材が自動的に規制位置に戻るため、利便性がよい。
【０１９１】
手段６．前記係合部材が前記解錠位置にある状態で、前記扉体を閉鎖した場合には、前記係合部材の作用部が前記被係合部に接触することにより、前記付勢部材による付勢力に抗して前記係合部材が前記施錠位置側へ変位しつつ、前記係合部が前記被係合部に係合されることを特徴とする手段１乃至５のいずれかに記載の遊技機。
【０１９２】
上記手段６によれば、扉体の開放時に被係合部に対し作用する作用部が、扉体の閉鎖時においても被係合部と係り合うことで、扉体を閉じれば、自動的に扉体が施錠される構成となる。結果として、扉体を施錠する際に、鍵による施錠操作を行う必要もなく、利便性の向上が図られる。
【０１９３】
また、扉体の施錠状態において被係合部に係合される係合部とは異なる作用部に対し、被係合部が接触することで、係合部材が変位する構成となっている。つまり、扉体を閉じる際に係合部と被係合部とが衝突しない構成とできる。従来技術のように扉体の閉鎖時に係合部自体が被係合部と接触することで、係合部材が変位する構成では、両者の接触により係合部が変形等してしまうおそれがある。係合部が変形等すれば、扉体を適切に施錠できなくなるといった不具合も起こり得る。
【０１９４】
さらに、上述したように、従来では、通常、鍵による錠部材の解錠操作時の負荷を考慮して、係合部材を施錠位置側へ付勢する付勢部材の付勢力を比較的強く設定することができなかった。このため、扉体の閉鎖時の衝撃を係合部と被係合部との接触により吸収することが難しかった。つまり、付勢部材の抗力が弱く、扉体を力強く閉鎖した際には、扉体が支持体に激しく衝突してしまうおそれがあった。かかる場合には、扉体に取付けられる電子機器など各種部材に悪影響を及ぼすおそれもある。特に近年では、扉体の重量が重量化傾向にあるため、その衝撃も大きく、このような不具合の発生するおそれも高い。
【０１９５】
これに対し、本手段の構成では、上述したように、錠部材が、係合部材やこれに連結される連結部材を直接的に動かす構成ではないため、解錠操作時の負荷を考慮する必要もなく、比較的付勢力の強い付勢部材を用いて、被係合部と接触する係合部材（作用部）を緩衝手段として機能させることができる。結果として、扉体の閉鎖時の衝撃を係合部材（作用部）と被係合部との接触により十分に吸収させることができる。
【０１９６】
以下に、上記各手段が適用される各種遊技機の基本構成を示す。
【０１９７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１９８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１９９】
Ｃ．上記各手段における前記遊技機、又は、上記各弾球遊技機は、パチンコ機又はパチンコ機に準ずる遊技機であること。
【０２００】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２０１】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【０２０２】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を正面左側から見た斜視図である。
【図１２】施錠装置の背面図である。
【図１３】施錠装置の右側面図である。
【図１４】施錠装置の左側面図である。
【図１５】施錠装置の正面図である。
【図１６】背面側から見た施錠装置の分解図である。
【図１７】側面側から見た施錠装置の分解図である。
【図１８】施錠装置を背面左側から見た分解斜視図である。
【図１９】施錠装置を正面右側から見た分解斜視図である。
【図２０】鍵の非挿入時におけるシリンダ錠を示す断面図である。
【図２１】鍵の挿入時におけるシリンダ錠を示す断面図である。
【図２２】（ａ）は、第２摺動杆が上方へ摺動した状態における施錠装置を背面左側から見た斜視図であり、（ｂ）は、その状態における施錠装置を正面左側から見た斜視図である。
【図２３】（ａ）は、第１摺動杆が下方へ摺動した状態における施錠装置を背面左側から見た斜視図であり、（ｂ）は、その状態における施錠装置を正面左側から見た斜視図である。
【図２４】内鉤部材が受け金具に係合されるとともに、前鉤部が受け金具に係合された状態を示す部分拡大図である。
【図２５】内枠を開放するに際し、内鉤部材が解錠位置へ回動変位した状態を示す部分拡大図である。
【図２６】前面枠セットを開放するに際し、前鉤部が解錠位置へ変位した状態を示す部分拡大図である。
【図２７】（ａ）は、別の実施形態における鉤部が施錠位置にある状態を示す部分拡大図であり、（ｂ）は、鉤部が解錠位置にある状態を示す部分拡大図である。
【図２８】カバー部材を正面左側から見た斜視図である。
【図２９】カバー部材を背面左側から見た斜視図である。
【符号の説明】
【０２０３】
１０…パチンコ機、１１…外枠、１２…内枠、１４…前面枠セット、８３，８４…受け金具、８３ｄ，８４ｄ…被係合部、６００…施錠装置、６２３，６２４…内鉤部材、６２３ｂ，６２４ｂ…頭部、６２３ｃ，６２４ｃ…作用部、６２５…第２摺動杆、６２５ｄ…係合突起、６６０…ロック部材、７００…シリンダ錠、７４０…カバー部材、Ｃ１〜Ｃ３…コイルばね。
【図１】
2010057535.tif 000003
【図２】
2010057535.tif 000004
【図３】
2010057535.tif 000005
【図４】
2010057535.tif 000006
【図５】
2010057535.tif 000007
【図６】
2010057535.tif 000008
【図７】
2010057535.tif 000009
【図８】
2010057535.tif 000010
【図９】
2010057535.tif 000011
【図１０】
2010057535.tif 000012
【図１１】
2010057535.tif 000013
【図１２】
2010057535.tif 000014
【図１３】
2010057535.tif 000015
【図１４】
2010057535.tif 000016
【図１５】
2010057535.tif 000017
【図１６】
2010057535.tif 000018
【図１７】
2010057535.tif 000019
【図１８】
2010057535.tif 000020
【図１９】
2010057535.tif 000021
【図２０】
2010057535.tif 000022
【図２１】
2010057535.tif 000023
【図２２】
2010057535.tif 000024
【図２３】
2010057535.tif 000025
【図２４】
2010057535.tif 000026
【図２５】
2010057535.tif 000027
【図２６】
2010057535.tif 000028
【図２７】
2010057535.tif 000029
【図２８】
2010057535.tif 000030
【図２９】
2010057535.tif 000031